【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
複数のワイヤレスデバイスのためにワイヤレス通信媒体へのアクセスを予約する方法であって、
ネットワーク割当てベクトル（ＮＡＶ）を設定するようにとの前記複数のワイヤレスデバイスのうちの第１のサブセットのワイヤレスデバイスのための第１の指示を含み、前記ＮＡＶを設定しないようにとの前記複数のワイヤレスデバイスのうちの第２のサブセットのワイヤレスデバイスのための第２の指示をさらに含むメッセージを送信し、それによって、前記複数のワイヤレスデバイスのうちの少なくとも前記第２のサブセットのために前記ワイヤレス媒体へのアクセスを予約することを備え、
ここにおいて、前記第１の指示は、前記第１のサブセットのワイヤレスデバイスと前記第２のサブセットのワイヤレスデバイスとの一方によってのみ復号可能である、方法。
【請求項２】
前記第２の指示は、前記メッセージのタイプフィールドおよびサブタイプフィールドのうちの少なくとも１つに情報を含めることによるものである、請求項１に記載の方法。
【請求項３】
前記第１の指示および前記第２の指示は、前記メッセージのプロトコルバージョンフィールドに値を含めることによるものであり、前記ＮＡＶを設定するようにとの前記第１の指示は、前記値が０に等しいときのものであり、前記ＮＡＶを設定しないようにとの前記第２の指示は、前記値が０よりも大きい値を備えるときのものである、請求項１に記載の方法。
【請求項４】
前記第２の指示は、無効な持続時間値を指示する前記メッセージの持続時間フィールドに情報を含めることによるものであり、前記無効な持続時間値は、前記持続時間フィールドの許容可能な値の定義された範囲外の値を含む、請求項１に記載の方法。
【請求項５】
前記第１の指示は、前記メッセージのフィールドに情報を含めることによるものであり、前記フィールドは、持続時間フィールド以外のものであり、前記情報は、前記複数のワイヤレスデバイスのうちの前記第１のサブセットが前記ＮＡＶを設定する持続時間を指示し、前記第２の指示は、前記ＮＡＶを設定しないために前記複数のワイヤレスデバイスのうちの前記第２のサブセットのために前記メッセージの前記持続時間フィールドにゼロの持続時間を含めることによるものである、請求項１に記載の方法。
【請求項６】
前記メッセージは、送信可メッセージを備え、前記第１の指示は、前記送信可メッセージの持続時間フィールドに持続時間を含めることによるものであり、前記第２の指示は、マルチキャストアドレスまたは特定の媒体アクセス制御アドレスのうちの１つを識別する前記送信可メッセージの受信機アドレスフィールドに情報を含めることによるものである、請求項１に記載の方法。
【請求項７】
前記メッセージは、送信可メッセージを備え、前記第１の指示は、前記複数のワイヤレスデバイスの前記第１のサブセットの媒体アクセス制御アドレスのリストを含めることによるものである、請求項１に記載の方法。
【請求項８】
前記メッセージは、送信可メッセージを備え、前記送信可メッセージは、潜在的に干渉するワイヤレスデバイスの最大数の値を含み、前記ＮＡＶを設定するようにとの前記第１の指示は、潜在的に干渉するワイヤレスデバイスの前記最大数が、前記メッセージを受信する前記複数のワイヤレスデバイスのうちのデバイスによって生成されるランダムな数よりも小さいときのものであり、前記ＮＡＶを設定しないようにとの前記第２の指示は、潜在的に干渉するワイヤレスデバイスの前記最大数が、前記メッセージを受信する前記複数のワイヤレスデバイスのうちの前記デバイスによって生成されるランダムな数よりも大きいときのものである、請求項１に記載の方法。
【請求項９】
前記メッセージは、送信要求メッセージであり、前記第１の指示は、前記送信要求メッセージの持続時間フィールドに持続時間を含めることによるものであり、前記第２の指示は、マルチキャストアドレスを識別する前記送信要求メッセージの送信機アドレスフィールドに情報を含めることによるものであり、前記送信要求メッセージのサービスフィールドに情報を備える、請求項１に記載の方法。
【請求項１０】
前記メッセージは、送信要求メッセージを備え、前記第１の指示は、前記複数のワイヤレスデバイスの前記第１のサブセットの媒体アクセス制御アドレスのリストを含めることによるものであり、
ここにおいて、前記方法は、好ましくは、送信可メッセージを受信することをさらに備え、前記送信可メッセージは、前記送信要求メッセージと同様に前記媒体アクセス制御アドレスの前記リストを含む、請求項１に記載の方法。
【請求項１１】
前記メッセージは、送信要求メッセージを備え、前記送信要求メッセージは、潜在的に干渉するワイヤレスデバイスの最大数の値を含み、前記ＮＡＶを設定するようにとの前記第１の指示は、潜在的に干渉するワイヤレスデバイスの前記最大数が、前記メッセージを受信する前記複数のワイヤレスデバイスのうちのデバイスによって生成されるランダムな数よりも小さいときのものであり、前記ＮＡＶを設定しないようにとの前記第２の指示は、潜在的に干渉するワイヤレスデバイスの前記最大数が、前記メッセージを受信する前記複数のワイヤレスデバイスのうちの前記デバイスによって生成されるランダムな数よりも大きいときのものである、請求項１に記載の方法。
【請求項１２】
前記メッセージは、データまたは管理フレームを備え、前記第１の指示は、前記送信要求メッセージの持続時間フィールドに持続時間を含めることによるものであり、前記第２の指示は、マルチキャストアドレスを識別する前記データまたは管理フレームの送信機アドレスフィールド中に情報を含めることによるものであり、さらに、前記データまたは管理フレームのサービスフィールドに情報を含めることによるものである、請求項１に記載の方法。
【請求項１３】
前記メッセージは、サービス品質ヌルフレームであり、前記第１の指示は、前記サービス品質ヌルフレームの持続時間フィールドに持続時間を含めることによるものであり、前記第２の指示は、前記サービス品質ヌルフレームの制御フィールドに情報を含めることによるものである、請求項１に記載の方法。
【請求項１４】
請求項１ないし１３のうちのいずれか一項に記載の方法を実施するための命令を備えたコンピュータプログラム。
【請求項１５】
ワイヤレス通信のためのデバイスであって、
ネットワーク割当てベクトル（ＮＡＶ）を設定するようにとの複数のワイヤレスデバイスのうちの第１のサブセットのワイヤレスデバイスのための第１の指示を含み、前記ＮＡＶを設定しないようにとの前記複数のワイヤレスデバイスのうちの第２のサブセットのワイヤレスデバイスのための第２の指示をさらに含むメッセージを生成するための手段と、
前記メッセージを送信し、それによって、前記複数のワイヤレスデバイスのうちの少なくとも前記第２のサブセットのためにワイヤレス媒体へのアクセスを予約するための手段と
を備え、
ここにおいて、前記第１の指示は、前記第１のサブセットのワイヤレスデバイスと前記第２のサブセットのワイヤレスデバイスとの一方によってのみ復号可能である、デバイス。
【手続補正２】
【補正対象書類名】明細書
【補正対象項目名】００８１
【補正方法】変更
【補正の内容】
【００８１】
[0089]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］  複数のワイヤレスデバイスのためにワイヤレス通信媒体へのアクセスを予約する方法であって、ネットワーク割当てベクトル（ＮＡＶ）を設定するようにとの前記複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを送信し、それによって、前記複数のワイヤレスデバイスのうちの少なくとも前記第２のサブセットのために前記ワイヤレス媒体へのアクセスを予約することを備える、方法。
［Ｃ２］  前記第２の指示は、前記メッセージのタイプフィールドおよびサブタイプフィールドのうちの少なくとも１つに情報を含めることによる、Ｃ１に記載の方法。
［Ｃ３］  前記第１の指示および前記第２の指示は、前記メッセージのプロトコルバージョンフィールドに値を含めることにより、前記ＮＡＶを設定するようにとの前記第１の指示は、前記値が０に等しいときであり、前記ＮＡＶを設定しないようにとの前記第２の指示は、前記値が０よりも大きい値を備えるときである、Ｃ１に記載の方法。
［Ｃ４］  前記第２の指示は、無効な持続時間値を指示する前記メッセージの持続時間フィールドに情報を含めることにより、前記無効な持続時間値は、前記持続時間フィールドの許容可能な値の定義された範囲外の値を含む、Ｃ１に記載の方法。
［Ｃ５］  前記複数のワイヤレスデバイスのうちの少なくとも第３のサブセットのための第２のメッセージを送信することをさらに備え、前記第２のメッセージは、前記ＮＡＶをリセットするようにとのワイヤレスデバイスの前記第３のサブセットのための第３の指示を含み、前記ＮＡＶをリセットしないようにとの前記複数のワイヤレスデバイスのうちの第４のサブセットのための第４の指示をさらに含む、Ｃ１に記載の方法。
［Ｃ６］  前記第３の指示は、コンテンションフリー（ＣＦ）終了フレームの送信を利用することにより、前記第４の指示は、前記ＣＦ終了フレームの基本サービスセット識別子フィールドに情報を含めることによる、Ｃ５に記載の方法。
［Ｃ７］  前記第３の指示は、前記第２のメッセージの送信のために使用される物理レイヤフォーマットに基づき、前記第４の指示は、前記第２のメッセージのタイプフィールドおよびサブタイプフィールドのうちの少なくとも１つに情報を含めることによる、Ｃ５に記載の方法。
［Ｃ８］  前記第１の指示は、前記メッセージのフィールドに情報を含めることにより、前記フィールドは、持続時間フィールド以外のものであり、前記情報は、前記複数のワイヤレスデバイスのうちの前記第１のサブセットが前記ＮＡＶを設定する持続時間を指示し、前記第２の指示は、前記ＮＡＶを設定しないために前記複数のワイヤレスデバイスのうちの前記第２のサブセットのために前記メッセージの前記持続時間フィールドにゼロの持続時間を含めることによる、Ｃ１に記載の方法。
［Ｃ９］  前記メッセージは、送信可メッセージを備え、前記第１の指示は、前記送信可メッセージの持続時間フィールドに持続時間を含めることにより、前記第２の指示は、マルチキャストアドレスまたは特定の媒体アクセス制御アドレスのうちの１つを識別する前記送信可メッセージの受信機アドレスフィールドに情報を含めることによる、Ｃ１に記載の方法。
［Ｃ１０］  前記メッセージは、送信可メッセージを備え、前記第１の指示は、前記送信可メッセージの持続時間フィールドに持続時間を含めることにより、前記第２の指示は、マルチキャストアドレスまたは特定の媒体アクセス制御アドレスを識別する前記送信可メッセージの受信機アドレスフィールドに情報を含めることと、前記送信可メッセージのサービスフィールドに情報を含めることとによる、Ｃ１に記載の方法。
［Ｃ１１］  前記メッセージは、送信可メッセージを備え、前記第１の指示は、前記複数のワイヤレスデバイスの前記第１のサブセットの媒体アクセス制御アドレスのリストを含めることによる、Ｃ１に記載の方法。
［Ｃ１２］  前記メッセージは、送信可メッセージを備え、前記送信可メッセージは、潜在的に干渉するワイヤレスデバイスの最大数の値を含み、前記ＮＡＶを設定するようにとの前記第１の指示は、潜在的に干渉するワイヤレスデバイスの前記最大数が、前記メッセージを受信する前記複数のワイヤレスデバイスのうちのデバイスによって生成されるランダムな数よりも小さいときであり、前記ＮＡＶを設定しないようにとの前記第２の指示は、潜在的に干渉するワイヤレスデバイスの前記最大数が前記メッセージを受信する前記複数のワイヤレスデバイスのうちの前記デバイスによって生成されるランダムな数よりも大きいときである、Ｃ１に記載の方法。
［Ｃ１３］  前記メッセージは、送信要求メッセージであり、前記第１の指示は、前記送信要求メッセージの持続時間フィールドに持続時間を含めることにより、前記第２の指示は、マルチキャストアドレスを識別する前記送信要求メッセージの送信機アドレスフィールドに情報を含めることにより、前記送信要求メッセージのサービスフィールドに情報を備える、Ｃ１に記載の方法。
［Ｃ１４］  前記メッセージは、送信要求メッセージを備え、前記第１の指示は、前記複数のワイヤレスデバイスの前記第１のサブセットの媒体アクセス制御アドレスのリストを含めることによる、Ｃ１に記載の方法。
［Ｃ１５］  送信可メッセージを受信することをさらに備え、前記送信可メッセージは、前記送信要求メッセージと同様に前記媒体アクセス制御アドレスの前記リストを含む、Ｃ１４に記載の方法。
［Ｃ１６］  前記メッセージは、送信要求メッセージを備え、前記送信要求メッセージは、潜在的に干渉するワイヤレスデバイスの最大数の値を含み、前記ＮＡＶを設定するようにとの前記第１の指示は、潜在的に干渉するワイヤレスデバイスの前記最大数が前記メッセージを受信する前記複数のワイヤレスデバイスのうちのデバイスによって生成されるランダムな数よりも小さいときであり、前記ＮＡＶを設定しないようにとの前記第２の指示が、潜在的に干渉するワイヤレスデバイスの前記最大数が前記メッセージを受信する前記複数のワイヤレスデバイスのうちの前記デバイスによって生成されるランダムな数よりも大きいときである、Ｃ１に記載の方法。
［Ｃ１７］  前記メッセージは、データまたは管理フレームを備え、前記第１の指示は、前記送信要求メッセージの持続時間フィールドに持続時間を含めることにより、前記第２の指示は、マルチキャストアドレスを識別する前記データまたは管理フレームの送信機アドレスフィールド中に情報を含めることにより、さらに、前記データまたは管理フレームのサービスフィールドに情報を含めることによる、Ｃ１に記載の方法。
［Ｃ１８］  前記メッセージは、サービス品質ヌルフレームであり、前記第１の指示は、前記サービス品質ヌルフレームの持続時間フィールドに持続時間を含めることにより、前記第２の指示は、前記サービス品質ヌルフレームの制御フィールドに情報を含めることによる、Ｃ１に記載の方法。
［Ｃ１９］  前記メッセージは、制御ラッパーフレームであり、前記第１の指示は、前記制御ラッパーフレームの持続時間フィールドに持続時間を含めることにより、前記第２の指示は、無効値を指示する前記制御ラッパーフレームの高スループット制御フィールドに情報を含めることにより、前記無効値は、前記高スループット制御フィールドの許容可能な値の定義された範囲外の値である、Ｃ１に記載の方法。
［Ｃ２０］  前記メッセージは、前記ワイヤレス媒体にアクセスしようと試みる前に前記媒体がアイドルであるタイムスロットの指示された数の間待つようにとの前記メッセージを受信するワイヤレスデバイスのための命令を備える、Ｃ１に記載の方法。
［Ｃ２１］  ワイヤレス通信のためのデバイスであって、
メッセージ、ネットワーク割当てベクトル（ＮＡＶ）を設定するようにとの複数のワイヤレスデバイスのうちのワイヤレスデバイスの第１のサブセットのための第１の指示、および前記ＮＡＶを設定しないようにとの前記複数のワイヤレスデバイスのうちのワイヤレスデバイスの第２のサブセットのための第２の指示をさらに含むことを生成することを行うように構成されたプロセッサと、
前記メッセージを送信し、それによって、前記複数のワイヤレスデバイスのうちの少なくとも前記第２のサブセットのためにワイヤレス媒体へのアクセスを予約することを行うように構成された送信機と
を備える、デバイス。
［Ｃ２２］  前記プロセッサは、前記第２の指示が、前記メッセージのタイプフィールドおよびサブタイプフィールドのうちの少なくとも１つに情報を含めることによるように、前記メッセージを生成するようにさらに構成された、Ｃ２１に記載のデバイス。
［Ｃ２３］  前記送信機は、前記複数のワイヤレスデバイスのうちの少なくとも第３のサブセットのための第２のメッセージを送信するようにさらに構成され、前記第２のメッセージは、前記ＮＡＶをリセットするようにとのワイヤレスデバイスの前記第３のサブセットのための第３の指示を含み、前記ＮＡＶをリセットしないようにとの前記複数のワイヤレスデバイスのうちの第４のサブセットのための第４の指示をさらに含む、Ｃ２１に記載のデバイス。
［Ｃ２４］  前記第２のメッセージは、コンテンションフリー（ＣＦ）終了フレームを備え、前記第３の指示は、前記ＣＦ終了フレームの送信を利用することにより、前記第４の指示は、前記ＣＦ終了フレームの基本サービスセット識別子フィールドに情報を含めることによる、Ｃ２３に記載のデバイス。
［Ｃ２５］  前記プロセッサは、前記メッセージが、前記媒体にアクセスしようと試みる前に前記媒体がアイドルであるタイムスロットの示された数の間待つようにとの前記メッセージを受信するワイヤレスデバイスのための命令を含むように前記メッセージを生成するようにさらに構成された、Ｃ２１に記載のデバイス。
［Ｃ２６］  ワイヤレス通信のためのデバイスであって、
ネットワーク割当てベクトル（ＮＡＶ）を設定するようにとの複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを生成するための手段と、
前記メッセージを送信し、それによって、前記複数のワイヤレスデバイスのうちの少なくとも前記第２のサブセットのためにワイヤレス媒体へのアクセスを予約するための手段と
を備える、デバイス。
［Ｃ２７］  前記メッセージを生成するための前記手段は、送信可メッセージを生成するための手段を備え、前記第１の指示は、前記送信可メッセージの持続時間フィールドに持続時間を含めることにより、前記第２の指示は、マルチキャストアドレスまたは特定の媒体アクセス制御アドレスのうちの１つを識別する前記送信可メッセージの受信機アドレスフィールドに情報を含めることによる、Ｃ２６に記載のデバイス。
［Ｃ２８］  前記メッセージを生成するための前記手段は、送信要求メッセージを生成するための手段を備え、前記第１の指示は、前記送信要求メッセージの持続時間フィールドに持続時間を含めることにより、前記第２の指示は、マルチキャストアドレスを識別する前記送信要求メッセージの送信機アドレスフィールドに情報を含めることにより、前記送信要求メッセージのサービスフィールドに情報を備える、Ｃ２６に記載のデバイス。
［Ｃ２９］  前記メッセージを生成するための前記手段は、送信要求メッセージを生成するための手段を備え、前記送信要求メッセージは、潜在的に干渉するワイヤレスデバイスの最大数の値を含み、前記ＮＡＶを設定するようにとの前記第１の指示は、潜在的に干渉するワイヤレスデバイスの前記最大数が前記メッセージを受信する前記複数のワイヤレスデバイスのうちのデバイスによって生成されるランダムな数よりも小さいときであり、前記ＮＡＶを設定しないようにとの前記第２の指示は、潜在的に干渉するワイヤレスデバイスの前記最大数が前記メッセージを受信する前記複数のワイヤレスデバイスのうちの前記デバイスによって生成されるランダムな数よりも大きいときである、Ｃ２６に記載のデバイス。
［Ｃ３０］  実行されたとき、装置に、
ネットワーク割当てベクトル（ＮＡＶ）を設定するようにとの複数のワイヤレスデバイスのうちのワイヤレスデバイスの第１のサブセットのための第１の指示を含み、前記ＮＡＶを設定しないようにとの前記複数のワイヤレスデバイスのうちのワイヤレスデバイスの第２のサブセットのための第２の指示をさらに含むメッセージを送信し、それによって、前記複数のワイヤレスデバイスのうちの少なくとも前記第２のサブセットのためにワイヤレス媒体へのアクセスを予約すること
を行わせるコードを備える、非一時的コンピュータ可読媒体。